(57)【要約】【課題】  簡素な構造でもって、操作部材を揺動可能に支持するとともに、揺動した際の操作部材を元の位置に復元することができる。【解決手段】  軸筒１０と、軸筒周壁の操作部材用貫通孔１１に被押圧片部５１を挿通させて外部に露出した操作部材５０とを備え、被押圧片部５１を軸筒内側へ揺動させる操作によって筆記部３２が突出するようにしたサイドノック式筆記具において、操作部材５０は、前端側を自由端として前方へ延設された被押圧片部５１と、被押圧片部５１に対し軸筒径方向の反対側に間隔を置きながら前方へ延設された延設支持部５２と、これら被押圧片部５１と延設支持部５２とを後端側で接続する接続部５３とを一体に有し、接続部５３及び延設支持部５２が軸筒内周面に保持されている。【選択図】  図１
2015089676.tif 000002
【特許請求の範囲】
【請求項１】
軸筒と、軸筒周壁の貫通孔に被押圧片部を挿通させて外部に露出した操作部材とを備え、前記被押圧片部を軸筒内側へ揺動させる操作によって筆記部が突出するようにしたサイドノック式筆記具において、
前記操作部材は、前端側を自由端として前方へ延設された前記被押圧片部と、前記被押圧片部に対し軸筒径方向の反対側に間隔を置きながら前方へ延設された延設支持部と、これら被押圧片部と延設支持部とを後端側で接続する接続部とを一体に有し、前記接続部及び前記延設支持部が軸筒内周面に保持されていることを特徴とするサイドノック式筆記具。
【請求項２】
前記操作部材は、前記被押圧片部の前部側と前記延設支持部の前部側との間が、前方へ向かって広がるように一体成型され、前記間を狭めるように弾性変形させて前記軸筒内に収納されていることを特徴とする請求項１記載のサイドノック式筆記具。
【請求項３】
前記被押圧片部の前部側に、軸筒内周面に当接して、該被押圧片部の径外方向への弾性的な復元を規制する係止突起が設けられていることを特徴とする請求項２記載のサイドノック式筆記具。
【請求項４】
前記接続部を、軸筒径方向における被押圧片部側で軸筒内周面に当接させるとともに、前記延設支持部の前部側を、同軸筒径方向における反対側で軸筒内周面に当接させるようにしたことを特徴とする請求項３記載のサイドノック式筆記具。
【請求項５】
前記操作部材の前端寄りの突出操作用被押圧部が押圧された際に筆記部を突出させ、同操作部材の後端寄りの没入操作用被押圧部が押圧された際に同筆記部を没入させるように構成したサイドノック式筆記具であって、
前記没入操作用被押圧部は、前記被押圧片部の後端部寄りに、前後方向へ延びる切欠部を幅方向へ間隔を置いて二つ設け、これら二つの切欠部の間を軸筒内側へ撓ませるようにしていることを特徴とする請求項１乃至４何れか１項記載のサイドノック式筆記具。
【請求項６】
軸筒内で進退するように設けられたリフィールと、該リフィールに一体的に接続された係合部材と、これらリフィール及び係合部材を後方へ付勢する付勢部材とを備え、前記リフィールの進退により該リフィール前端の筆記部を出没させるようにしたサイドノック式筆記具であって、
前記係合部材は、前記被押圧片部の内面側に摺接されて前方へ押し動かされる被摺接面と、前進した際に軸筒内周面の被係合部に係止される係脱片とを有し、
前記没入操作用被押圧部は、軸筒内側へ撓んだ際に、前記係脱片を押圧して前記被係合部から離脱するように設けられていることを特徴とする請求項５記載のサイドノック式筆記具。
【発明の詳細な説明】
【技術分野】
【０００１】
本発明は、例えばサイドノック式ボールペン等、軸筒周壁の操作部材に対する押圧操作により筆記部を突出させるようにしたサイドノック式筆記具に関するものである。
【背景技術】
【０００２】
従来、この種の発明には、例えば特許文献１に記載されるもののように、筒状の外装本体（１）と、該外装本体（１）の周壁に揺動自在に支持された操作部材（押圧片９）と、該操作部材（押圧片９）の揺動支点となる軸（８）と、操作部材（押圧片９）を付勢する二つのねじりコイルバネ（１０）と、外装本体（１）内で進退可能であって後方へ付勢されたレフィール本体（２）と、該レフィール本体（２）と一体的にスライドする作用部材（１１）を備えたサイドノック式筆記具がある。
この従来技術によれば、操作部材（押圧片９）の前端側を押すと、該操作部材（押圧片９）が外装本体（１）内側へ揺動して作用部材（１１）の傾斜面（１２）に摺接し、作用部材（１１）及びレフィール本体（２）が前進して、レフィール本体（２）先端の筆記部を突出させるとともに、作用部材（１１）後端側のロック爪（１６）が外装本体（１）の周壁に掛止されて、前記突出状態が維持される。そして、この突出状態を解除する場合には、操作部材（押圧片９）の後端側を径内方向へ押せば、操作部材（押圧片９）の後端側がロック爪（１６）に当接して、ロック爪（１６）が外れて、作用部材（１１）及びレフィール本体（２）が後退し、前記筆記部が没入する。
【０００３】
しかしながら、上記従来技術では、操作部材（押圧片９）の揺動支点として軸（８）を用い、揺動した際の操作部材（押圧片９）をねじりコイルバネ（１０）の付勢力により元の位置に復元する構造であるため、製造時に軸（８）及びねじりコイルバネ（１０）の装着に工数がかかってしまう。
【先行技術文献】
【特許文献】
【０００４】
【特許文献１】特開２００３−５４１８７号公報
【発明の概要】
【発明が解決しようとする課題】
【０００５】
本発明は上記従来事情に鑑みてなされたものであり、その課題とする処は、簡素な構造でもって、操作部材を揺動可能に支持するとともに、揺動した際の操作部材を元の位置に復元することができるサイドノック式筆記具を提供することにある。
【課題を解決するための手段】
【０００６】
上記課題を解決するための一手段は、軸筒と、軸筒周壁の貫通孔に被押圧片部を挿通させて外部に露出した操作部材とを備え、前記被押圧片部を軸筒内側へ揺動させる操作によって筆記部が突出するようにしたサイドノック式筆記具において、前記操作部材は、前端側を自由端として前方へ延設された前記被押圧片部と、前記被押圧片部に対し軸筒径方向の反対側に間隔を置きながら前方へ延設された延設支持部と、これら被押圧片部と延設支持部とを後端側で接続する接続部とを一体に有し、前記接続部及び前記延設支持部が軸筒内周面に保持されていることを特徴とする。
【発明の効果】
【０００７】
本発明は、以上説明したように構成されているので、簡素な構造でもって、操作部材を揺動可能に支持するとともに、揺動した際の操作部材を元の位置に復元することができる。
【図面の簡単な説明】
【０００８】
【図１】本発明に係るサイドノック式筆記具の一例を示す内部構造図である。なお、リフィールは、内部構造を省略して二点鎖線により示している。
【図２】(I)は図１の(I)-(I)線に沿う端面図であり、(II)は図１の(II)-(II)線に沿う端面図であり、(III)は図１の(III)-(III)線に沿う端面図である。なお、リフィールは、内部構造を省略して二点鎖線により示している。
【図３】(IV)は図１の(IV)-(IV)線に沿う端面図であり、(V)は図１の(V)-(V)線に沿う端面図である。なお、リフィールは、内部構造を省略して二点鎖線により示している。
【図４】(VI)は図１の(VI)-(VI)線に沿う端面図であり、(VII)は図１の(VII)-(VII)線に沿う端面図である。なお、リフィールは、内部構造を省略して二点鎖線により示している。
【図５】（ａ）は、軸筒の一例を示す平面図であり、（ｂ）は、本図（ａ）の(I)-(I)線に沿う全断面図である。
【図６】（ａ）は、操作部材の一例を示す平面図であり、（ｂ）は、本図（ａ）の(I)-(I)線に沿う全断面図である。
【図７】（ａ）は、係合部材の一例を示す平面図であり、（ｂ）は、本図（ａ）の(I)-(I)線に沿う半断面図である。
【図８】同サイドノック式筆記具の前半部を全断面で示す動作説明図であり、（ａ）は筆記部が没入した状態、（ｂ）は操作部材の操作により筆記部が突出した状態を示している。なお、リフィールは、内部構造を省略して二点鎖線により示している。
【発明を実施するための形態】
【０００９】
本実施の形態の第一の特徴は、軸筒と、軸筒周壁の貫通孔に被押圧片部を挿通させて外部に露出した操作部材とを備え、前記被押圧片部を軸筒内側へ揺動させる操作によって筆記部が突出するようにしたサイドノック式筆記具において、前記操作部材は、前端側を自由端として前方へ延設された前記被押圧片部と、前記被押圧片部に対し軸筒径方向の反対側に間隔を置きながら前方へ延設された延設支持部と、これら被押圧片部と延設支持部とを後端側で接続する接続部とを一体に有し、前記接続部及び前記延設支持部が軸筒内周面に保持されている。
この構成によれば、被押圧片部の自由端側が外圧により軸筒内側へ押圧されると、被押圧片部の自由端側が、延設支持部との間を弾性的に狭めながら軸筒内へ撓んでゆく。また、被押圧片部に対する外力が除去されると、被押圧片部の自由端側が、延設支持部との間を弾性的な復元力により広めながら元の状態へ戻る。よって、被押圧片部を簡素な構造でもって軸筒外方向へ付勢して元の状態に戻すことができ、該被押圧片部を軸筒内外方向へ付勢するための捩じりコイルバネ等を必要としない。
【００１０】
第二の特徴としては、前記操作部材は、前記被押圧片部の前部側と前記延設支持部の前部側との間が、前方へ向かって広がるように一体成型され、前記間を狭めるように弾性変形させて前記軸筒内に収納されている。
この構成によれば、被押圧片部と延設支持部との間の広がり方向の付勢力を効果的に得ることができる。
【００１１】
第三の特徴としては、前記被押圧片部の前部側に、軸筒内周面に当接して、該被押圧片部の径外方向への弾性的な復元を規制する係止突起が設けられている。
この構成によれば、被押圧片部の前部側が、軸筒径外方向へ突出しすぎてしまうようなことを防ぐことができる。
【００１２】
第四の特徴としては、前記接続部を、軸筒径方向における被押圧片部側で軸筒内周面に当接させるとともに、前記延設支持部の前部側を、同軸筒径方向における反対側で軸筒内周面に当接させるようにした。
この構成によれば、前部側では、被押圧片部の係止突起が軸筒内周面に当接するとともに、径方向の反対側で延設支持部が軸筒内周面に当接する。そして、後部側では、接続部における被押圧片部側が軸筒内周面に当接される。接続部材は、これら三箇所の当接により軸筒内でがたつくことなく安定的に支持される。よって、例えば、被押圧片部の後端側を軸筒周壁や内周面に対し不動且つ頑強に固定するようにした構造等と比較し、操作部材を軸筒内周面との緩い嵌め合い構造でもって安定的に保持することができ、ひいては、製造時に軸筒に対し操作部材を組付ける際の作業性を向上することも容易になる。
【００１３】
第五の特徴としては、前記操作部材の前端寄りの突出操作用被押圧部が押圧された際に筆記部を突出させ、同操作部材の後端寄りの没入操作用被押圧部が押圧された際に同筆記部を没入させるように構成したサイドノック式筆記具であって、前記没入操作用被押圧部は、前記被押圧片部の後端部寄りに、前後方向へ延びる切欠部を幅方向へ間隔を置いて二つ設け、これら二つの切欠部の間を軸筒内側へ撓ませるようにしている。
この構成によれば、没入操作用被押圧部が柔軟に撓むため、筆記部を没入させる際の操作性が良好である。
【００１４】
第六の特徴としては、軸筒内で進退するように設けられたリフィールと、該リフィールに一体的に接続された係合部材と、これらリフィール及び係合部材を後方へ付勢する付勢部材とを備え、前記リフィールの進退により該リフィール前端の筆記部を出没させるようにしたサイドノック式筆記具であって、前記係合部材は、前記被押圧片部の内面側に摺接されて前方へ押し動かされる被摺接面と、前進した際に軸筒内周面の被係合部に係止される係脱片とを有し、前記没入操作用被押圧部は、軸筒内側へ撓んだ際に、前記係脱片を押圧して前記被係合部から離脱するように設けられている。
この構成によれば、筆記部を突出させる際には、操作部材を軸筒内側へ揺動させれば、該操作部材の内面が、係合部材の被摺接面に摺接して、係合部材及びリフィールが前方へ押し動かされ、該リフィール前端の筆記部が突出する。
また、突出状態の筆記部を没入させる際には、没入操作用被押圧部を軸筒内側へ押圧し撓ませれば、該没入操作用被押圧部の内面が係脱片を押圧して被係合部から離脱させ、係合部材及びリフィールが付勢部材の勢力によって後方へ移動し、該リフィール前端の筆記部が没入する。
【実施例】
【００１５】
次に、上記特徴を有する好ましい実施例を、図面に基づいて詳細に説明する。
本明細書中、軸筒軸方向とは、軸筒の中心線の延びる方向を意味する。また、「前」とは、軸筒軸方向の一方側であって筆記部の先端方向を意味する。また、「後」とは、軸筒軸方向の前記一方側に対する逆方向側を意味する。また、「軸筒径方向」とは、軸筒軸方向に対し直交する方向を意味する。また、「軸筒径外方向」とは、軸筒径方向に沿って軸筒中心から離れる方向を意味する。「軸筒径内方向」とは、軸筒径方向に沿って軸筒中心へ近づく方向を意味する。
【００１６】
このサイドノック式筆記具は、図１に示すように、軸筒１０と、該軸筒１０の前端に接続された先口２０と、軸筒１０内で進退するように設けられたリフィール３０と、該リフィール３０に固定された係合部材４０と、軸筒１０の前側でリフィール３０を進退操作可能な操作部材５０と、リフィール３０及び係合部材４０を後方へ付勢する付勢部材６０と、軸筒１０の後端側に開閉可能に設けられたクリップ７０と、該クリップ７０を閉鎖方向へ弾発する弾発部材８０とを備える。
【００１７】
軸筒１０は、長尺筒状（図示例によえば長尺円筒状）に形成され、その前端側の開口部に先口２０を接続するとともに、後端側を閉鎖している。なお、軸筒１０の他例としては、前軸と後軸等の複数の筒体を接続してなる態様や、後端部に別体の尾栓を接続した態様、先口２０を一体に有する態様等とすることも可能である。
図示例の軸筒１０の周壁の前側と後側には、図５に示すように、操作部材５０を径方向へ貫通させるための操作部材用貫通孔１１と、クリップ７０を径方向へ貫通させるクリップ用貫通孔１２とが設けられる。
【００１８】
操作部材用貫通孔１１は、軸筒１０の周壁前側の把持部位を径方向へ貫通する矩形状の孔である（図５参照）。軸筒１０外周面において、操作部材用貫通孔１１の前半部側の周囲には、軸筒１０の周壁を部分的に凹曲状に凹ませた凹曲面部１１ａが設けられる。この凹曲面部１１ａは、後述する操作部材５０を押す指を軸筒径内方向へ沈み込ませて、操作部材５０に対する操作性を向上する。
【００１９】
クリップ用貫通孔１２は、軸筒１０の周壁後端寄りを径方向へ貫通する略矩形状の孔であり、図１に示すように、クリップ７０のクリップ支持部７２、開閉操作部７１ｂ及び弾発部材８０を軸筒１０内へ挿入する。
【００２０】
また、軸筒１０外周面の後部側には、クリップ本体７１の内面に対向する部分の全てを、他の部分よりも軸筒径内方向へ没入させたクリップ没入部１３が設けられる（図１及び図５参照）。
このクリップ没入部１３は、軸筒１０の円筒状の外周面輪郭（あるいは、軸筒１０外周面の前側の部分）よりも径内方向へ凹んでおり、前後方向へわたって略平坦に形成される。
そして、このクリップ没入部１３の軸筒径方向の深さは、図示例によれば、クリップ本体７１が、その厚みの半分以上を軸筒内側へ沈み込ませて表面を軸筒１０外周面輪郭から若干突出させるように、適宜に設定される（図１参照）。
このクリップ没入部１３は、クリップ本体７１を軸筒径内方向へ没入させて、該クリップ本体７１が軸筒１０の外周輪郭から突出する寸法を小さくしている。
【００２１】
また、軸筒１０外周面におけるクリップ没入部１３の前側には、傾斜面１４が設けられる（図１及び図５参照）。この傾斜面１４は、前方側からクリップ没入部１３面へ徐々に傾斜する面であり、クリップ没入部１３とクリップ本体７１との間に、紙や衣服のポケット等の被挟持物を挟む際に、該被挟持物をスムーズに導く。
【００２２】
また、軸筒１０内周面における操作部材用貫通孔１１後端縁の近傍には、後述する係合部材４０を係脱させるための被係合部１５が設けられる（図５参照）。
この被係合部１５は、軸筒１０内周面を前方へ向かって段付き状に凹ませており、前進した際の係合部材４０の係脱突起４４ａ（図７参照）を係止する。
【００２３】
また、軸筒１０内周面において、操作部材用貫通孔１１と径方向に対向する部分には、ガイド凸部１６ａ及びガイド凹部１６ｂが設けられる（図５及び図２〜図４参照）。
【００２４】
ガイド凸部１６ａは、クリップ幅方向（図２の左右方向）に間隔を置いて二つ設けられる（図２及び図３参照）。各ガイド凸部１６ａは、前後方向へ連続する略レール状の突起であり、少なくとも操作部材５０と接触する前後方向の範囲に設けられる。
二つのガイド凸部１６ａ，１６ａのクリップ幅方向の両側には、操作部材５０の延設支持部５２が嵌り合う（図２（III）参照）。
【００２５】
ガイド凹部１６ｂは、前後方向へわたって連続する凹部であり、少なくとも係合部材４０と摺接する前後方向の範囲に設けられる。図示例のガイド凹部１６ｂは、操作部材用貫通孔１１の前後方向範囲においては、図２〜図３に示すように二つのガイド凸部１６ａ，１６ａの間に位置する。
このガイド凹部１６ｂには、後述する係合部材４０が嵌り合い前後方向へ案内される。
【００２６】
なお、図１及び図５中の符号１０ａ１は、係合部材４０の係脱突起４４ａを初期位置にて係合させる被係合部（図示例によれば貫通孔）である。他例としては、この被係合部１０ａ１を省いて、初期位置にある係脱突起４４ａを軸筒１０の平坦な内周面で受けるようにしてもよい。
また、図１及び図５中の符号１０ａ２は、操作部材５０における延設支持部５２前端側の係合突起５２ａに係合する被係合孔であり、係合突起５２ａを前後方向の遊びを有する状態で嵌め合せる。
【００２７】
また、先口２０は、先窄み円錐筒状に形成され、軸筒１０の前端側に螺合接続され、リフィール３０の前端側を進退可能に挿通する。この先口２０内の段部には、付勢部材６０（圧縮コイルバネ）の前端部が受けられる。
【００２８】
また、リフィール３０は、インクを充填した円筒状のインクタンク３１と、該インクタンク３１の前端に圧入接続された筆記部３２（具体的にはボールペンチップ）とからなるボールペン用リフィールである（図１参照）。
このリフィール３０は、軸筒１０内で、係合部材４０と一体的に進退するように、該係合部材４０内に挿入され着脱可能に接続されている。
【００２９】
係合部材４０は、筆記部３２と一体的に進退可能な部位であり、図７に示すように、リフィール３０の前後方向の途中箇所を保持する保持部４１と、該保持部４１から後方へ延設された接続部４２と、該接続部４２の後端に接続されてリフィール３０の後端部に着脱可能に圧入固定される圧入部４３と、該圧入部４３から操作部材５０側へ突出した係脱片４４と、軸筒１０内周面のガイド凹部１６ｂに嵌り合う被ガイド部４５とを有し、可撓性を有する合成樹脂材料から一体に成型されている。なお、インクの消耗に伴ってリフィール３０を交換する際には、この係合部材４０からリフィール３０が外される。
【００３０】
保持部４１は、リフィール３０を挿通するとともに、操作部材５０が軸筒径内方向へ撓んだ際に該操作部材５０の被押圧片部５１に摺接される部材である。この保持部４１は、図示例によれば、略円筒状に形成され、その後端側の外周部に、操作部材５０の内面に摺接されて前方へ押し動かされる被摺接面４１ａを有する。被摺接面４１ａは、後方斜め操作部材５０側を向く凸曲面状に形成され、操作部材５０の複数の摺接突起５１ｃ，５１ｃ（図６参照）を受けている。
【００３１】
接続部４２は、軸筒１０内周面における反リフィール３０側の部分に沿って後方へ延設された長尺状に形成され、その後端に圧入部４３を接続している（図７参照）。
【００３２】
圧入部４３は、リフィール３０の後端を圧入可能な形状であればよく、図示例によれば、略角筒状に形成され、その内面に形成された突起を、リフィール３０外周面に圧接させることで、リフィール３０を不動に保持している。この圧入部４３の操作部材５０寄りの前端には、係脱片４４が接続される。
【００３３】
係脱片４４は、圧入部４３から前方へ突出し延設されるとともに接続部４２よりも短い長尺片状の部位であり、その長手方向の途中位置に、操作部材５０側へ突出する係脱突起４４ａを有し、該係脱突起４４ａよりも前側の部分を、操作部材５０の被押圧片部５１を軸筒内側から受ける受片４４ｂとしている（図８（ｂ）参照）。係脱突起４４ａは、軸筒１０内の被係合部１５内面にならう形状を呈する。
【００３４】
被ガイド部４５は、接続部４２及び圧入部４３における反操作部材５０側に、軸筒前後方向へわたって設けられた長尺矩形状の突起であり、軸筒１０内周面のガイド凹部１６ｂに、前後方向へ摺動可能に嵌り合っている（図２〜図４参照）。この被ガイド部４５は、係合部材４０及び該係合部材４０と一体的なリフィール３０の進退を案内する。
【００３５】
また、操作部材５０は、図６に示すように、前端側を自由端とする片持ち状に前方へ延設された被押圧片部５１と、被押圧片部５１に対し軸筒径方向の反対側（図１及び図６によれば下方側）に間隔を置きながら前方へ延設された延設支持部５２と、これら被押圧片部５１と延設支持部５２とをこれらの後端側で接続する接続部５３とを一体に有する側面視略横向きＵ字状に形成される。
この操作部材５０は、被押圧片部５１と延設支持部５２との間が、前方へ向かって広がるように一体成型され（図６（ｂ）参照）、前記間を狭めるように弾性変形させて軸筒１０内に収納されている（図１参照）。
【００３６】
被押圧片部５１は、前後方向へわたる略矩形平板状の表部５１ａと、該表部の幅方向（図６（ａ）によれば上下方向）の両端から軸筒内側へ突出する側部５１ｂ，５１ｂとを有する横断面凹状に形成され、両側部５１ｂ，５１ｂの間には、係合部材４０に摺接させるための摺接突起５１ｃ，５１ｃが設けられる。各摺接突起５１ｃは、前方斜め径外方向へ傾く傾斜面を有する突起である。
【００３７】
表部５１ａの前部側には、筆記部３２を突出するための突出操作用被押圧部５１ａ１が設けられる。この突出操作用被押圧部５１ａ１は、指等により押圧された際の滑り止めとなるように、断面凹凸状に形成される。
突出操作用被押圧部５１ａ１の幅方向の中央側には、前後方向へ延びるスリット５１ａ２が設けられる（図６参照）。このスリット５１ａ２は、両側部５１ｂ，５１ｂの幅狭方向への弾性変形を容易にすることで、操作部材５０が軸筒径外方向側から軸筒１０内へ挿入される際の組付け性を向上している。
【００３８】
また、表部５１ａの後端寄りには、突出状態の筆記部３２を没入するための没入操作用被押圧部５１ａ３が設けられる。
没入操作用被押圧部５１ａ３は、操作部材５０の後端部寄りに、前後方向へ延びる切欠部５０ａ，５０ａ（図６参照）を軸筒周方向に沿う幅方向へ間隔を置いて二つ設けることで、これら二つの切欠部５０ａ，５０ａの間に、板状に設けられる。この没入操作用被押圧部５１ａ３は、径外方向側から押圧力を受けた際に軸筒内側へ撓む。
【００３９】
側部５１ｂは、表部５１ａの幅方向両端側からそれぞれ軸筒内側へ突出するとともに軸筒前後方向へ延びる略板状に形成される。
各側部５１ｂにおける外側面には、係止突起５１ｂ１が設けられる。
係止突起５１ｂ１は、図２（II）に示すように、軸筒内へ向かって楔状に傾斜する外側面を有し、操作部材５０が軸筒径方向に沿って軸筒内へ挿入される際に、操作部材用貫通孔１１の内縁を乗越えてその内側に係止される。
【００４０】
また、延設支持部５２は、被押圧片部５１に対し、軸筒径方向に間隔を置くとともに、操作部材５０の幅方向へ間隔を置いて二つ設けられる（図６及び図２（III）参照）。
各延設支持部５２は、後述する接続部５３から前方へ突出し延設され、図示例によれば、被押圧片部５１の約半分の長さを有し、その前端側に、軸筒１０の被係合孔１０ａ２に嵌り合う係合突起５２ａを有する。
【００４１】
また、接続部５３は、被押圧片部５１の後端側と各延設支持部５２の後端側とを接続する部分である。
【００４２】
そして、操作部材５０は、被押圧片部５１を軸筒１０の操作部材用貫通孔１１（図５参照）に挿通して外部へ露出させた状態で、接続部５３及び延設支持部５２が軸筒１０内周面に保持される。
詳細に説明すれば、操作部材５０は、被押圧片部５１の前部側の係止突起５１ｂ１を軸筒内周面に当接させ（図２（II）参照）、接続部５３の操作部材用貫通孔１１側の端部５３ａを軸筒１０内周面に当接させ（図３（Ｖ）参照）、延設支持部５２の前部側の係合突起５２ａよりも若干後の部分を、軸筒径方向における反対側で軸筒内周面（詳細には、被係合孔１０ａ２の後端内縁）に当接させて保持される。
【００４３】
また、付勢部材６０は、圧縮コイルバネであり、その前端部を先口２０内に当接するとともに、後端部を、係合部材４０の保持部４１内に挿入し、該保持部４１内の段部に当接させて、係合部材４０及びリフィール３０を後方へ付勢している。
この付勢部材６０の他例としては、係合部材４０及びリフィール３０を後方へ引っ張るバネや、板バネ等の他の付勢部材とすることも可能である。
【００４４】
クリップ７０は、図１に示すように、軸筒外周面に沿って前後方向へわたるクリップ本体７１と、該クリップ本体７１の後端寄りから軸筒内側へ突出するクリップ支持部７２とを一体的に具備し、クリップ支持部７２を、軸筒１０周壁のクリップ用貫通孔１２に挿通させて、該周壁の内面よりも内側で回転可能に支持しており、クリップ本体７１後部側の開閉操作部７１ｂが押圧操作されることで、クリップ本体７１前端側の当接部７１ａ（玉部と称される場合もある）と、軸筒１０外周のクリップ没入部１３との間を開放する。
【００４５】
また、弾発部材８０は、図示例によれば、圧縮コイルバネであり、その一端部をクリップ本体７１の開閉操作部７１ｂの裏面に当接させるとともに、その他端部を軸筒１０内における周壁内面に当接させて、開閉操作部７１ｂと軸筒１０との間を拡げる方向へ弾発する。
【００４６】
次に、上記構成のサイドノック式筆記具について、製造手順の一例を説明する。
軸筒１０に対しクリップ７０を装着する際には、クリップ７０の開閉操作部７１ｂ裏面側に、予め弾発部材８０が装着される。そして、クリップ７０は、図１に示すように、軸筒１０のクリップ用貫通孔１２に対し、径外方向側から挿入され、軸筒１０内で支持される。
【００４７】
また、軸筒１０内にリフィール３０及び係合部材４０等を装着する際には、リフィール３０に対し係合部材４０及び付勢部材６０が予め嵌め合せられ、これらが、軸筒１０の前端開口部から内部へ挿入され、軸筒１０前端に先口２０が螺合接続される。
軸筒１０内にて、係合部材４０は、軸筒前後方向へわたる被ガイド部４５（図７（ｂ）参照）を、軸筒１０内周面のガイド凹部１６ｂに嵌め合せる（図２〜図４参照）。
【００４８】
なお、前記手順において、付勢部材６０は、リフィール３０及び係合部材４０を軸筒１０内へ挿入した後で、係合部材４０に装着するようにしてもよい。
また、軸筒１０内にリフィール３０及び係合部材４０等を装着する作業は、上述したクリップ７０の装着作業の前とすることも可能である。
【００４９】
そして、軸筒１０に操作部材５０が装着される。操作部材５０は、図１に示すように、軸筒径外方向側から、延設支持部５２が操作部材用貫通孔１１内へ挿入される。この際、両側部５１ｂ，５１ｂが径内方向へ撓むようにして、両係止突起５１ｂ１，５１ｂ１が操作部材用貫通孔１１内縁を乗越える。そして、操作部材５０の両係止突起５１ｂ１，５１ｂ１は、図２（II）に示すように、軸筒１０内側から操作部材用貫通孔１１の内縁に係止され、上述したように延設支持部５２及び接続部５３が軸筒１０内に保持される。
【００５０】
次に、完成後のサイドノック式筆記具について、その特徴的な作用効果を詳細に説明する。
図８（ａ）（ｂ）に示すように、操作部材５０の被押圧片部５１（詳細には突出操作用被押圧部５１ａ１）が、軸筒内側へ押圧されると、その押圧力により被押圧片部５１が軸筒内側へ揺動する。この際、被押圧片部５１と延設支持部５２の間が弾性的に狭まる（図８（ｂ）参照）。
すると、係合部材４０の被摺接面４１ａが、軸筒内側へ揺動する被押圧片部５１の摺接突起５１ｃの傾斜面に摺接されることで、係合部材４０及びリフィール３０が前進し、リフィール３０前端の筆記部３２が、先口２０前端から突出する。
そして、この突出状態は、係合部材４０の係脱片４４（詳細には係脱突起４４ａ）が、軸筒１０内周面の被係合部１５に係止されることで維持される。
なお、この突出状態において、被押圧片部５１に対する押圧力が除去された場合には、被押圧片部５１は、図８（ｂ）に二点鎖線で示すように、弾性的な復元力によって元の位置に戻るが、係脱片４４により係止状態は維持される。
【００５１】
また、筆記部３２の突出状態において、操作部材５０の没入操作用被押圧部５１ａ３が軸筒内側へ押圧されると、没入操作用被押圧部５１ａ３が、軸筒内側へ撓んで、係脱片４４を押動し、該係脱片４４の係脱突起４４ａを、軸筒１０側の被係合部１５から外す。すると、リフィール３０及び係合部材４０が、付勢部材６０の弾発力により後方へスライドする。この際、被押圧片部５１は弾性的な復元力により元の位置に戻っているため、被摺接面４１ａと被押圧片部５１との摩擦がなく、係合部材４０の後退がスムーズである。
【００５２】
よって、上記構成のサイドノック式筆記具によれば、軸部材やねじりコイルバネ等を用いない簡素な構造でもって、被押圧片部５１を揺動可能に支持するとともに、押圧操作後に元の状態に復元することができる。しかも、操作部材５０を装着する際の製造性も良好である。
【００５３】
なお、上記実施例によれば、係合部材４０側の係脱突起４４ａを軸筒１０側の凹状の被係合部１５に係脱させる構造（図８参照）としたが、これらの凹凸関係を逆にすることも可能である。
【００５４】
また、上記実施例では、特に好ましい態様として、被押圧片部５１と延設支持部５２の間が前方へ向かって広がるように操作部材５０を成型したが、他例としては、これらの間を略平行にして操作部材５０を成型した態様とすることも可能である。
【００５５】
また、上記実施例によれば、操作部材５０を軸筒内側へ揺動させる操作によってボールペンチップである筆記部３２が先口２０前端から突出するようにしたが、他例としては、操作部材５０を軸筒内側へ揺動させる操作によってシャープペンシル用リフィールの前端部である筆記部が先口２０前端から突出するようにした態様等とすることも可能である。
【符号の説明】
【００５６】
１０：軸筒                      １１：操作部材用貫通孔
１２：クリップ用貫通孔          １３：クリップ没入部
１５：被係合部                  ２０：先口
３０：リフィール                ３１：インクタンク
３２：筆記部                    ４０：係合部材
４１：保持部                    ４２：接続部
４３：圧入部                    ４１ａ：被摺接面
４４：係脱片                    ４４ａ：係脱突起
５０：操作部材                  ５０ａ：切欠部
５１：被押圧片部                ５１ａ：表部
５１ａ１：突出操作用被押圧部    ５１ａ３：没入操作用被押圧部
５１ｂ１：係止突起              ５１ｃ：摺接突起
５２：延設支持部                ５２ａ：係合突起
５３：接続部
【図１】
2015089676.tif 000003
【図２】
2015089676.tif 000004
【図３】
2015089676.tif 000005
【図４】
2015089676.tif 000006
【図５】
2015089676.tif 000007
【図６】
2015089676.tif 000008
【図７】
2015089676.tif 000009
【図８】
2015089676.tif 000010